(57)【特許請求の範囲】
【請求項１】
シンクロ単体試験機でシンクロナイザーリングをギヤコーンに押し付けてシンクロナイザーの摩擦特性を評価するシンクロ性能評価装置において、ギヤコーンに押し付けるシンクロナイザーリングの押付速度を可変にした押付速度可変装置を備え、シンクロ摩擦面とギヤコーン面が接触する前に、発生するトルクを、その発生時からギヤコーンに接触するまでの時間（Ａ）のトルク値と回転数を、時間で積分して初期吸収エネルギーを算出し、これを時間（Ａ）で割って初期吸収エネルギー速度を求め、その初期吸収エネルギー速度でシンクロナイザーリングを評価することを特徴とするシンクロ性能評価装置。
【請求項２】
押付速度可変装置は、シンクロナイザーリングの押付速度を、トランスミッションに使用されるシンクロナイザーリングの速度と同じにした請求項１記載のシンクロ性能評価装置。
【発明の詳細な説明】
【技術分野】
【０００１】
本発明は、トランスミッションのギヤ段の切り替え時に使用されるシンクロナイザーリングの性能評価装置に関するものである。
【背景技術】
【０００２】
大型トラックで用いられる１６段トランスミッションは、本体部４段の前側にＨｉ、Ｌｏｗ２段のスプリッター、後ろ側にＨｉとＬｏｗ２段のレンジチェンジを持つ２×４×２＝１６段である。スプリッターＨｉ、Ｌｏｗは、それぞれ偶数段と奇数段の切り替えを、レンジチェンジにより、１〜８速と９〜１６速の切り替えを行っている。
【０００３】
ドライバーがシフトチェンジする際に車速が落ちすぎないように早くシフトチェンジできることが求められるため、スプリッターの偶数段、奇数段の切り替えはエアーアクチュエータがスリーブを高速で移動させシフトチェンジを行っている。
【０００４】
このシフトチェンジの際、異なる回転数の軸とギヤはシンクロナイザーリングの摩擦面とギヤのコーン面が接触し摩擦力により同期する。
【０００５】
通常のシフトチェンジは、ギヤとシンクロナイザーリングが同期してからスリーブがギヤのドグ歯と噛合い、シフトチェンジ完了となるが、シンクロナイザーリングとギヤの同期が遅いと同期が完了する前にスリーブがギヤのドグ歯に飛び込んでしまい、回転差がある状態で接触するためギヤ鳴りを起こしてしまう。
【０００６】
よって、シンクロナイザーリングとギヤの同期速度を適正に評価することが必要である。
【０００７】
シンクロリングの性能を評価するためにシンクロ単体試験機という装置がある。この装置は一定温度で保たれた試験油槽の中でモータで回転している軸に取り付けられたギヤのコーン部に押付け軸に取り付けられたシンクロリングを設定された荷重で繰り返し押付け摩擦特性を評価するものである。
【０００８】
この装置では主に連続で繰り返し押し付けて摩擦係数μの変化と耐久性を評価するモードと一定回転で回っている回転軸のクラッチをきり慣性力で回っているギヤにシンクロリングを押付けギヤが停止するまでの時間とその時のトルクを測定するモードがある。
【先行技術文献】
【特許文献】
【０００９】
【特許文献１】特開２００２−２４３０２８号公報
【特許文献２】特開２００３−４１３１号公報
【特許文献３】特開２００１−３３６６２６号公報
【特許文献４】特開昭６３−２６１１３３号公報
【発明の概要】
【発明が解決しようとする課題】
【００１０】
ところで、従来のシンクロ単体試験機は押付けが始まってから所定の荷重まで立上る時間（Δｔ）は一定である。
【００１１】
しかし、トランスミッションのメイン段とスプリッターではシフトスピードが異なるため、一定の押付け速度ではそれぞれの段のシンクロ特性を確認することができない問題がある。
【００１２】
このスプリッターによるシンクロナイザーリングの押付速度は、メイン段より５〜７倍程度速く、ギヤコーンとシンクロナイザーリング間に形成される油膜によるトルク伝達力が発生するため、油膜を考慮してシンクロ特性を評価する必要がある。
【００１３】
そこで、本発明の目的は、上記課題を解決し、シンクロナイザーリングとギヤコーンのシンクロ特性を評価できるシンクロナイザーリングの性能評価装置を提供することにある。
【課題を解決するための手段】
【００１４】
上記目的を達成するために本発明は、シンクロ単体試験機でシンクロナイザーリングをギヤコーンに押し付けてシンクロナイザーの摩擦特性を評価するシンクロ性能評価装置において、ギヤコーンに押し付けるシンクロナイザーリングの押付速度を可変にした押付速度可変装置を備え、シンクロ摩擦面とギヤコーン面が接触する前に、発生するトルクを、その発生時からギヤコーンに接触するまでの時間（Ａ）のトルク値と回転数を、時間で積分して初期吸収エネルギーを算出し、これを時間（Ａ）で割って初期吸収エネルギー速度を求め、その初期吸収エネルギー速度でシンクロナイザーリングを評価することを特徴とするシンクロ性能評価装置である。
【００１５】
押付速度可変装置は、シンクロナイザーリングの押付速度を、トランスミッションに使用されるシンクロナイザーリングの速度と同じに制御するのが好ましい。
【発明の効果】
【００１７】
本発明は、シンクロナイザーリングの押付速度を可変にすることでシンクロ特性を的確に評価できるという優れた効果を発揮する。
【図面の簡単な説明】
【００１８】
【図１】本発明のシンクロナイザーリングの性能評価装置の一実施の形態を示すものである。
【図２】図１における押付速度可変装置の速度制御の一例を示す図である。
【図３】ギヤ鳴りが発生したシンクロナイザーの押付速度における駆動軸回転数（ギヤ回転数）、リング変位、回転トルク、押付荷重の経時変化のデータを示し、（ａ）は、従来のデータ、（ｂ）は本発明によるデータを示すものである。
【図４】ギヤ鳴りが無いシンクロナイザーの押付速度における駆動軸回転数（ギヤ回転数）、リング変位、回転トルク、押付荷重の経時変化のデータを示し、（ａ）は、従来のデータ、（ｂ）は本発明によるデータを示すものである。
【図５】種々のシンクロナイザーリングの初期吸収エネルギー速度とギヤ鳴りの関係を示す図である。
【図６】面粗さ（Ｒｚ）と初期吸収エネルギー速度の関係を示す図である。
【発明を実施するための形態】
【００１９】
以下、本発明の好適な一実施の形態を添付図面に基づいて詳述する。
【００２０】
先ず、図１により本発明のシンクロナイザーリングの性能評価装置１０を説明する。
【００２１】
シンクロナイザーリングの性能評価装置１０は、従来のシンクロ単体試験機の押付シリンダ２２に押付速度可変装置２８とシンクロ特性評価手段３０を付加したものである。
【００２２】
シンクロ単体試験機は、試験油槽１２内に収容されたギヤコーン１３とシンクロナイザーリング１４からなるトランスミッションＴ／Ｍに対して、ギヤコーン１３を接続した入力軸１１を回転する入力軸側Ｉ／Ａと、シンクロナイザーリング１４を接続した出力軸１５を移動してシンクロナイザーリング１４をギヤコーン１３に押し付ける出力軸側Ｏ／Ａが配置されて構成される。
【００２３】
入力軸側Ｉ／Ａの入力軸１１には、フライホイール１６が設けられ、クラッチ１７を介してモータ１８で入力軸１１が駆動され、その回転数が回転計１９で検出される。トランスミッション側Ｔ／Ｍのシンクロナイザーリング１４は入力軸１１に連結され、シンクロナイザーリング１４は、出力軸１５に連結され、試験油槽１２内には、ギヤオイル２０が収容される。
【００２４】
出力軸側Ｏ／Ａの出力軸１５は、スライド装置２１に取り付けられ、押付シリンダ２２にて軸方向に移動されて、ギヤコーン１３にシンクロナイザーリング１４を押し付ける。この際の変位量は変位計２３で検出され、押付荷重は押付荷重計（ロードセル）２４で検出される。またギヤコーン１３にシンクロナイザーリング１４を押し付けたときのシンクロナイザーリング１４に伝達されるトルクは、出力軸１５に取り付けたモーメントセル２５を介して回転トルク計２６で検出される。
【００２５】
押付速度可変装置２８は、押付シリンダ２２によるシンクロナイザーリング１４の押付速度を９ｍｍ／ｓｅｃ〜８０ｍｍ／ｓｅｃの速さに制御できるもので、例えば押付シリンダ２２が油圧シリンダであれば、その油圧シリンダに圧油を供給するバルブの開度を制御することで、図２に示すように押付け速度を制御できる。
【００２６】
また、押付速度の制御は、油圧シリンダの他にエアシリンダでも、或いは電動アクチュエータによる速度制御などいずれで構成してもよい。
【００２７】
回転計１９によるギヤ回転数（ｒｐｍ）、変位計２３によるリング変位（μｍ）、押付荷重計（ロードセル）２４による押付荷重（Ｎ）及び回転トルク計２６による回転トルク（Ｎ・ｍ）は、シンクロ特性評価手段３０に入力される。
【００２８】
シンクロ特性評価手段３０は、入力されたデータを基に、シンクロ摩擦面とギヤコーン面が接触する前（油が間にいる状態）にギヤコーンの回転をシンクロナイザーリングに伝えようとする伝達トルクに基づく初期吸収エネルギーを求め、その初期吸収エネルギーから初期吸収エネルギー速度を求めてシンクロナイザーリングを評価する。
【００２９】
具体的には、トルクが発生してからシンクロナイザーリングとギヤコーンが接触するまでの時間（Ａ）のトルク値、回転数（角速度）を時間で積分し、初期吸収エネルギーを算出し、それを時間（Ａ）で割り初期吸収エネルギー速度（単位時間ｔ当たりの吸収エネルギー）を下式により求める。
初期吸収エネルギー速度＝Ｅ／ｔ      …（１）
【００３０】
（１）式中の初期吸収エネルギーＥは、下式（２）で求める。
Ｅ＝∫Ｔ・ω・ｄｔ                  …（２）
Ｅ：吸収エネルギー（Ｊ）
Ｔ：トルク（Ｎ／ｍ）
ω：角速度（ｒａｄ／ｓｅｃ）
ｔ：時間（ｓｅｃ）
【００３１】
ここで求めた、初期吸収エネルギーＥを時間（Ａ）で割って求めた、初期吸収エネルギー速度（Ｊ／ｓｅｃ）を比較することで同期速度の速さがわかる。すなわち、
初期吸収エネルギー速度大＝同期速度速い
初期吸収エネルギー速度小＝同期速度遅い
と評価することができる。
【００３２】
図３は、ギヤ鳴りが発生したシンクロナイザーリングを、シンクロナイザーリングの性能評価装置１０で試験したときのデータを示し、（ａ）は押付速度９ｍｍ／ｓｅｃで試験したときのデータの経時変化、（ｂ）は、スプリッターの押付速度と同じ速度（５０〜７０ｍｍ／ｓｅｃで設定）で試験したときのデータの経時変化を示したものである。
【００３３】
また図４は、ギヤ鳴りが無かったシンクロナイザーリングを、シンクロナイザーリングの性能評価装置１０で試験したときのデータを示し、（ａ）は押付速度９ｍｍ／ｓｅｃで試験したときのデータの経時変化、（ｂ）は、スプリッターの押付速度と同じ速度（５０〜７０ｍｍ／ｓｅｃで設定）で試験したときのデータの経時変化を示したものである。
【００３４】
図３（ａ）と図４（ａ）は、共に押付速度が９ｍｍ／ｓｅｃで試験したときのデータであるが、押付速度が遅いと、シンクロナイザーリングがギヤコーンに接触する時間ｔcまで、回転トルクは立ち上がらないのに対して、押付速度の速い図３（ｂ）と図４（ｂ）では、シンクロナイザーリングがギヤコーンに接触する時間ｔc前の時間ｔ0で、回転トルクが立ち上がり、この発生した回転トルクが、油膜により慣性力を吸収した伝達トルクであることが分かる。
【００３５】
そこで、時間ｔ0から時間ｔcまでの回転トルクを上記（２）式をシンクロ特性評価手段３０が演算する。
【００３６】
但し、上記（２）式中の角速度ωは、回転数をＮ（ｒｐｍ）とすると、ω＝２πＮ／６０（ｒａｄ／ｓｅｃ）であり、ギヤ回転数と検出トルクの積を、時間ｔcからｔcまで、積分すると初期吸収エネルギーＥが求まる。
【００３７】
次に、初期吸収エネルギーＥを時間（Ａ）で割ると初期吸収エネルギー速度（Ｊ／ｓｅｃ）が求まる。
【００３８】
図５は、図３、図４のようにして試験した種々の面粗さの異なるカーボンコンポジットからなる摩擦材を用いてシンクロナイザーリング（試料１〜９）とし、これらシンクロナイザーリングの初期吸収エネルギー（Ｊ／ｓｅｃ）を算出したものである。
【００３９】
この図５で、試料１〜６のシンクロナイザーリングは、ギヤ鳴りが有り、試料７〜９はギヤ鳴りが無かった。この原因は、試料１〜６は、接触前の初期吸収エネルギーが、１０００（Ｊ／ｓｅｃ）以下と低く、試料７〜９は、接触前の初期吸収エネルギーが、１０００（Ｊ／ｓｅｃ）を超えており、接触前の回転伝達トルクにより、シンクロナイザーリングの同期速度が速かったものと考えられる。
【００４０】
図６は、試料１〜９のカーボンコンポジットからなる摩擦材の表面を１０点平均面粗さＲｚを横軸に、初期吸収エネルギーを縦軸にしてプロットしたものである。
【００４１】
この図４より１０点平均面粗さＲｚが３２μｍ以上であれば、初期吸収エネルギーが、１０００（Ｊ／ｓｅｃ）を超えることが分かる。
【００４２】
このことは、１０点平均面粗さＲｚが３２μｍ以上であれば、表面に形成される油膜量が十分に確保され、そのギヤオイルの粘弾性によるトラクション効果で、シンクロナイザーリングがギヤコーンに接触する前に、油膜によるトルク伝達力でシンクロナイザーリングが回転されるため、同期速度が速くなるものと考えられる。
【００４３】
このように、従来の押付け速度一定の試験機に対して、押付け速度を可変にすることで、本発明は、スプリッターのような速いシフトチェンジの際のシンクロ特性を確認できるようになる。
【００４４】
すなわち、速い押付け速度で試験することにより同期極初期にはシンクロリングとギヤコーンが接触する前（油が間にいる状態）にトルクが伝わることでシンクロ特性に影響があり、これを初期吸収エネルギー速度として定量化することで、シンクロ性能の優れたシンクロリングの開発につなげることができる。
【００４５】
シンクロリングの摩擦面は銅、モリブデン溶射、樹脂、カーボンなど様々な種類があり速いシフトチェンジにはどれが優れているか、また、より性能の良いシンクロにするにはどんな膜材質及び膜表面形状が良いかを開発していくための評価装置として、本発明は大きな効果がある。
【符号の説明】
【００４６】
１０  シンクロナイザーリングの性能評価装置
１３  ギヤコーン
１４  シンクロナイザーリング
２８  押付速度可変装置
３０  シンクロ特性評価手段
【図１】
0006582929.tif 000002
【図２】
0006582929.tif 000003
【図３】
0006582929.tif 000004
【図４】
0006582929.tif 000005
【図５】
0006582929.tif 000006
【図６】
0006582929.tif 000007